(57)【要約】【課題】  トランスの振動に起因する振動を抑制することによって、雑音の発生を防止できるとともに、製造コストを増大させることなく、トランスを安定した状態で固定することができる電子楽器のトランス固定装置を提供する。【解決手段】  トランス４が固定されたトランス固定部５ａ、およびトランス固定部５ａの両側の２つの固定面取付部５ｂを一体に有するシャーシ５と、シャーシ５の各固定面取付部の各々の表面および裏面にそれぞれ設けられた第１および第２の防振材６，７と、本体部８ａ、およびこの本体部８ａよりも所定の高さＨ、低い２つの取付部８ｂをそれぞれ一体に有する２つの固定金具８と、本体部８ａと固定面３との間に、シャーシ５の各固定面取付部ならびに第１および第２の防振材６，７を挟持した状態で、各取付部８ｂを固定面に固定する固定手段９と、を備える。  【選択図】  図２
2006091517.tif 000002
【特許請求の範囲】
【請求項１】
トランスを所定の固定面に固定するための電子楽器のトランス固定装置であって、
トランス固定部、および当該トランス固定部の両側の２つの固定面取付部を一体に有し、前記トランス固定部の表面に前記トランスが固定されたシャーシと、
当該シャーシの前記２つの固定面取付部の各々の表面および裏面にそれぞれ設けられ、前記トランスの振動を吸収するための第１および第２の防振材と、
本体部、およびこの本体部の両側に設けられ、当該本体部よりも所定の高さ、低い２つの取付部をそれぞれ一体に有する２つの固定金具と、
当該２つの固定金具の各々の前記本体部と前記固定面との間に、前記シャーシの前記各固定面取付部ならびに前記第１および第２の防振材を挟持した状態で、前記２つの取付部を前記固定面に固定する固定手段と、
を備えていることを特徴とする電子楽器のトランス固定装置。
【請求項２】
前記所定の高さは、前記固定面取付部と前記第１および第２の防振材の厚さの和よりも小さいことを特徴とする、請求項１に記載の電子楽器のトランス固定装置。
【請求項３】
トランスを所定の固定面に固定するための電子楽器のトランス固定装置であって、
トランス固定部、および当該トランス固定部の両側の２つの固定面取付部を一体に有し、前記トランス固定部の表面に前記トランスが固定されたシャーシと、
当該シャーシの前記２つの固定面取付部の各々の表面および裏面にそれぞれ設けられ、前記トランスの振動を吸収するための第１および第２の防振材と、
前記固定面に形成され、所定の深さを有し、前記シャーシの前記２つの固定面取付部ならびに前記第１および第２の防振材を収容する収容凹部と、
固定金具と、
当該固定金具の一部と前記収容凹部の底面との間に、前記２つの固定面取付部ならびに前記第１および第２の防振材を挟持した状態で、前記固定金具の他の部分を前記固定面に固定する固定手段と、
を備えていることを特徴とする電子楽器のトランス固定装置。
【請求項４】
前記所定の深さは、前記固定面取付部と前記第１および第２の防振材の厚さの和よりも小さいことを特徴とする、請求項３に記載の電子楽器のトランス固定装置。
【請求項５】
前記第１および第２の防振材は、互いに別個に構成されていることを特徴とする、請求項１ないし４のいずれかに記載の電子楽器のトランス固定装置。
【請求項６】
前記第１および第２の防振材は、単一の防振材で構成され、当該防振材が、折りたたまれた状態で前記各固定面取付部の表面から裏面にわたって設けられていることを特徴とする、請求項１ないし４のいずれかに記載の電子楽器のトランス固定装置。
【請求項７】
トランスを所定の固定面に固定するための電子楽器のトランス固定装置であって、
トランス固定部、および当該トランス固定部の両側に設けられ、表裏方向に貫通する孔がそれぞれ形成された２つの固定面取付部を一体に有し、前記トランス固定部の表面に前記トランスが固定されたシャーシと、
前記固定面取付部の前記孔に設けられるとともに、表裏方向に貫通する孔を有する防振材と、
当該防振材の前記孔を介して前記固定面にねじ込まれることにより、前記固定面取付部を前記固定面に固定する固定ねじと、を備え、
前記防振材は、
前記固定面取付部の前記孔に係合する係合部と、
当該係合部から表面側に突出する表面部と、
前記係合部から裏面側に突出するとともに、前記表面部よりも大きな面積を有する裏面部と、を有していることを特徴とする電子楽器のトランス固定装置。
【請求項８】
前記係合部、前記表面部および前記裏面部は、弾性材により一体に構成され、
前記表面部は、前記係合部よりも大きな面積を有していることを特徴とする、請求項７に記載の電子楽器のトランス固定装置。
【発明の詳細な説明】
【技術分野】
【０００１】
本発明は、電源の電圧などを所定の電圧に変圧するトランスを電子楽器の固定面に固定するための電子楽器のトランス固定装置に関する。
【背景技術】
【０００２】
従来のこの種のトランス固定装置として、例えば特許文献１に開示されたものが知られている。このトランス固定装置は、ＳＭＦ（Ｓｔａｎｄａｒｄ  ＭＩＤＩ  Ｆｉｌｅ）プレーヤに適用されたものであり、プレーヤ本体内の上部に設けられ、トランスが取り付けられた取付板と、取付板をプレーヤ本体に取り付けるためのブラケットなどで構成されている。このトランス固定装置では、トランスを直接、取付板にねじ止めすることによって、トランスがプレーヤ本体に固定されている。
【０００３】
しかし、トランスは作動時に振動するため、このトランスの振動が取付板やねじを介してプレーヤ本体に伝搬することによって、プレーヤ本体が振動し、雑音を生じるおそれがある。このため、トランスの振動の伝搬を抑制するようにした電子楽器のトランス固定装置として、図１０に示したものが知られている。
【０００４】
同図に示すように、このトランス固定装置５１は、水平な棚板５２に載置され、トランス５３が取り付けられたシャーシ５４と、シャーシ５４の四隅にそれぞれ取り付けられ、トランス５３の振動を吸収する防振材５５と、これらの防振材５５を介して、シャーシ５４を棚板５２に固定する固定ねじ５６などで構成されている。
【０００５】
シャーシ５４は、トランス取付部５４ａと、その両側に一体に設けられ、これよりも一段低い２つの棚板取付部５４ｂ，５４ｂで構成されている。各棚板取付部５４ｂの各両端部には、円形の孔５４ｃ（１つのみ図示）が形成されている。各防振材５５は、ゴムなどの弾性材で構成され、係合部５５ｃと、係合部５５ｃの上下に一体に形成され、係合部５５ｃよりも大きな径を有する上部５５ａおよび下部５５ｂで構成されている。各防振材５５は、その弾性を利用して、棚板取付部５４ｂの孔５４ｃに押し込むことによって取り付けられており、この状態では、係合部５５ｃが孔５４ｃに係合するとともに、上部５５ａおよび下部５５ｂにより防振材５５が上下方向に位置決めされた状態になっている。また、各防振材５５の中央には、上下方向に貫通する孔５５ｄが形成され、この孔５５ｄの全体にスペーサ５７が下方から差し込まれている。そして、固定ねじ５６をスペーサ５７に上方から通し、棚板５２にねじ込むことによって、シャーシ５４が棚板５２に固定され、それにより、トランス５３が棚板５２に固定されている。
【０００６】
この構成では、固定ねじ５６の頭部と棚板取付部５４ｂの間に上部５５ａが、棚板取付部５４ｂと棚板５２の間に下部５５ｂが、それぞれ介在するとともに、孔５４ｃに係合部５５ｃが係合することによって、シャーシ５４が棚板５２および固定ねじ５６と非接触状態になるため、固定ねじ５６を介した棚板５２へのトランス５３の振動の伝搬が抑制される。
【０００７】
しかし、このトランス固定装置５１では、係合部５５ｃの上下に上部５５ａおよび下部５５ｂを有する防振材５５を、棚板取付部５４ｂの孔５４ｃに押し込むことによって棚板取付部５４ｂに取り付ける必要があるので、防振材５５の取り付けに手間がかかり、製造コストが増大してしまう。このような不具合は例えば、防振材５５を軟らかい材質で構成し、防振材５５を孔５４ｃに押し込みやすくすることによって解消することが可能である。しかし、その場合には、防振材５５の強度が一般には不足がちになるため、トランス５３の振動により、防振材５５が傷みやすくなる。
【０００８】
また、従来のトランス固定装置５１では、シャーシ５４の四隅に固定ねじ５６および防振材５５をそれぞれ設けなければならないため、部品点数や組立工数が増加し、それによっても、製造コストが増大してしまう。このような不具合を解消するために、例えば各棚板取付部５４ｂを１個所で固定し、固定ねじ５６および防振材５５の数を削減することが考えられる。しかし、その場合には、各棚板取付部５４ｂが１点で支持されることと、棚板５２との防振材５５の接触面積が、棚板取付部５４ｂの面積に対してはるかに小さいことから、シャーシ５４が、固定ねじ５６を中心として揺動するおそれがあり、トランス５３を安定した状態で固定することができなくなる。
【０００９】
本発明は、このような課題を解決するためになされたものであり、トランスの振動に起因する固定面の振動を抑制することによって、雑音の発生を防止できるとともに、製造コストを増大させることなく、トランスを安定した状態で固定することができる電子楽器のトランス固定装置を提供することを目的とする。
【００１０】
【特許文献１】特願平１１−２７２２７６号公報
【発明の開示】
【課題を解決するための手段】
【００１１】
この目的を達成するために、請求項１に係る発明は、トランスを所定の固定面に固定するための電子楽器のトランス固定装置であって、トランス固定部、およびトランス固定部の両側の２つの固定面取付部を一体に有し、トランス固定部の表面にトランスが固定されたシャーシと、シャーシの２つの固定面取付部の各々の表面および裏面にそれぞれ設けられ、トランスの振動を吸収するための第１および第２の防振材と、本体部、およびこの本体部の両側に設けられ、本体部よりも所定の高さ、低い２つの取付部をそれぞれ一体に有する２つの固定金具と、２つの固定金具の各々の本体部と固定面との間に、シャーシの各固定面取付部ならびに第１および第２の防振材を挟持した状態で、２つの取付部を固定面に固定する固定手段と、を備えていることを特徴とする。
【００１２】
この電子楽器のトランス固定装置によれば、トランスがシャーシのトランス固定部に固定されるとともに、その両側のシャーシの２つの固定面取付部の各々の表面および裏面に、第１および第２の防振材がそれぞれ設けられている。また、シャーシの固定面取付部ならびに第１および第２の防振材が、固定金具の本体部と固定面の間に挟持された状態で、本体部の両側の２つの取付部が、固定手段によって固定面に固定されている。この構成によれば、固定金具の本体部とシャーシの固定面取付部の間に第１防振材が、固定面取付部と固定面の間に第２防振材が、それぞれ介在するので、シャーシが固定金具および固定面と非接触状態になる。これにより、トランスの振動が固定金具を介して固定面に伝搬することが抑制され、その結果、トランスの振動に起因する固定面の振動を抑制でき、したがって、雑音の発生を防止することができる。
【００１３】
また、シャーシの固定面取付部ならびに第１および第２の防振材の全体を、固定金具と固定面の間に挟持することによって固定するので、第１および第２の防振材の形状を単純化できる。このため、従来と異なり、複雑な形状の防振材をシャーシに押し込む作業を省略でき、防振材の取り付けを容易に行うことができ、その分、製造コストを削減することができる。さらに、各固定金具を、２つの取付部を介して固定面に固定するので、固定金具を２点支持によって安定して強固に固定できるとともに、そのように固定された固定金具の本体部によって、シャーシの固定面取付部ならびに第１および第２の防振材を挟持するので、シャーシおよびそれに固定されたトランスを安定した状態で固定面に固定することができる。
【００１４】
請求項２に係る発明は、請求項１に記載の電子楽器のトランス固定装置において、所定の高さは、固定面取付部と第１および第２の防振材の厚さの和よりも小さいことを特徴とする。
【００１５】
この構成によれば、所定の高さ、すなわち固定金具の本体部と固定面に固定される取付部との間の距離が、本体部によって挟持される固定面取付部と第１および第２の防振材の厚さの和よりも小さい。このため、シャーシの固定面取付部ならびに第１および第２の防振材を、固定金具の本体部で締め付けながら強く挟持することができ、それにより、シャーシおよびトランスを確実に安定した状態で固定面に固定することができる。
【００１６】
請求項３に係る発明は、トランスを所定の固定面に固定するための電子楽器のトランス固定装置であって、トランス固定部、およびトランス固定部の両側の２つの固定面取付部を一体に有し、トランス固定部の表面にトランスが固定されたシャーシと、シャーシの２つの固定面取付部の各々の表面および裏面にそれぞれ設けられ、トランスの振動を吸収するための第１および第２の防振材と、固定面に形成され、所定の深さを有し、シャーシの２つの固定面取付部ならびに第１および第２の防振材を収容する収容凹部と、固定金具と、固定金具の一部と収容凹部の底面との間に、２つの固定面取付部ならびに第１および第２の防振材を挟持した状態で、固定金具の他の部分を固定面に固定する固定手段と、を備えていることを特徴とする。
【００１７】
この電子楽器のトランス固定装置によれば、トランスがシャーシのトランス固定部に固定されるとともに、その両側のシャーシの２つの固定面取付部の各々の表面および裏面に、第１および第２の防振材がそれぞれ設けられている。また、シャーシの固定面取付部ならびに第１および第２の防振材が、固定面に形成された収容凹部に収容されるとともに、固定金具の一部と収容凹部の底面の間に挟持された状態で、固定金具の他の部分が、固定手段によって固定面に固定されている。この構成によれば、固定金具とシャーシの固定面取付部の間に第１防振材が、固定面取付部と収容凹部の底面の間に第２防振材が、それぞれ介在するので、トランスの振動が固定金具を介して固定面に伝搬することが抑制され、その結果、トランスの振動に起因する固定面の振動を抑制でき、したがって、雑音の発生を防止することができる。
【００１８】
また、シャーシの固定面取付部ならびに第１および第２の防振材が、固定金具と収容凹部の底面の間に挟持された状態で固定面に固定されているので、上述した請求項１に係る発明と同様、第１および第２の防振材の形状を単純化でき、それにより、第１および第２の防振材の取り付けを容易に行うことができる。さらに、固定面に固定した固定金具によって、シャーシの固定面取付部ならびに第１および第２の防振材を挟持するので、シャーシおよびそれに固定されたトランスを安定した状態で固定面に固定することができる。
【００１９】
また、シャーシの固定面取付部ならびに第１および第２の防振材を収容凹部に収容し、これらを固定金具の一部と収容凹部の底面とで挟持するとともに、固定金具の他の部分を固定面に固定するので、固定金具として例えば平板状のものを用いることが可能になる。これにより、請求項１の本体部と取付部を有する固定金具と比較し、固定金具の形状を単純化できるので、それによっても、製造コストを削減することができる。
【００２０】
請求項４に係る発明は、請求項３に記載の電子楽器のトランス固定装置において、所定の深さは、固定面取付部と第１および第２の防振材の厚さの和よりも小さいことを特徴とする。
【００２１】
この構成によれば、収容凹部の所定の深さ、すなわち固定金具と収容凹部の底面との間の距離が、固定金具によって挟持される固定面取付部と第１および第２の防振材の厚さの和よりも小さい。このため、請求項２に係る発明と同様、シャーシの固定面取付部ならびに第１および第２の防振材を固定金具で締め付けながら強く挟持でき、シャーシおよびトランスを確実に安定した状態で固定することができる。
【００２２】
請求項５に係る発明は、請求項１ないし４のいずれかに記載の電子楽器のトランス固定装置において、第１および第２の防振材は、互いに別個に構成されていることを特徴とする。
【００２３】
この構成によれば、第１および第２の防振材をそれぞれ、単純な形状、例えばシート状のもので構成し、固定金具と固定面取付部の間と、固定面取付部と固定面の間に、それぞれ介在させるだけで、容易に取り付けることができる。
【００２４】
請求項６に係る発明は、請求項１ないし４のいずれかに記載の電子楽器のトランス固定装置において、第１および第２の防振材は、単一の防振材で構成され、防振材が、折りたたまれた状態で各固定面取付部の表面から裏面にわたって設けられていることを特徴とする。
【００２５】
この構成によれば、第１および第２の防振材が、単一の防振材で構成されているので、互いに別個に構成された請求項５の防振材と比較して、部品点数および組立工数を削減でき、その分、製造コストを削減することができる。
【００２６】
請求項７に係る発明は、トランスを所定の固定面に固定するための電子楽器のトランス固定装置であって、トランス固定部、およびトランス固定部の両側に設けられ、表裏方向に貫通する孔がそれぞれ形成された２つの固定面取付部を一体に有し、トランス固定部の表面にトランスが固定されたシャーシと、固定面取付部の孔に設けられるとともに、表裏方向に貫通する孔を有する防振材と、防振材の孔を介して固定面にねじ込まれることにより、固定面取付部を固定面に固定する固定ねじと、を備え、防振材は、固定面取付部の孔に係合する係合部と、係合部から表面側に突出する表面部と、係合部から裏面側に突出するとともに、表面部よりも大きな面積を有する裏面部と、を有していることを特徴とする。
【００２７】
この電子楽器のトランス固定装置によれば、トランスがシャーシのトランス固定部に固定されるとともに、その両側のシャーシの２つの固定面取付部に、表裏方向に貫通する孔が形成されている。また、固定面取付部の孔に防振材が設けられ、この防振材に、表裏方向に貫通する孔が形成されている。さらに、防振材の孔を介して固定ねじが固定面にねじ込まれることによって、シャーシの固定面取付部が固定面に固定されている。また、防振材は、固定面取付部の孔に係合する係合部と、係合部から表面側および裏面側にそれぞれ突出する表面部および裏面部を有している。したがって、固定ねじと固定面取付部の間に表面部が、固定面取付部と固定面の間に裏面部が、それぞれ介在するとともに、孔に係合部が係合することによって、シャーシが固定面および固定ねじと非接触状態になる。このため、トランスの振動が固定ねじを介して固定面に伝搬することが抑制され、その結果、トランスの振動に起因する固定面の振動を抑制でき、したがって、雑音の発生を防止することができる。
【００２８】
また、裏面部が、表面部よりも大きな面積を有していて、固定面との裏面部の接触面積が大きいので、裏面部によって、シャーシを安定して支持することができる。このため、シャーシが固定ねじを中心として揺動するのを防止できるなど、シャーシ、したがってトランスを安定した状態で固定することができる。その結果、防振材および固定ねじをシャーシの各固定面取付部の１個所に設けるだけでよく、従来と異なり、シャーシの四隅にそれぞれ設ける必要がないので、防振材や固定ねじの数を削減することができる。これにより、部品点数および組立工数を削減でき、その分、製造コストを削減することができる。
【００２９】
請求項８に係る発明は、請求項７に記載の電子楽器のトランス固定装置において、係合部、表面部および裏面部は、弾性材により一体に構成され、表面部は、係合部よりも大きな面積を有していることを特徴とする。
【００３０】
この構成によれば、防振材の係合部、表面部および裏面部が、一体に形成されているので、これらを互いに別個に構成した場合と比較し、部品点数および組立工数を削減でき、その分、製造コストを削減することができる。また、表面部が、係合部よりも大きな面積を有するとともに、防振材が、弾性材で構成されているので、その弾性を利用して、表面部を固定面取付部の孔に容易に押し込むことにより、ねじ止めに先立ち、防振材をシャーシに容易に取り付けることができる。また、係合部よりも大きな面積を有する表面部と裏面部によって、防振材をシャーシに位置決めした状態で取り付けることができる。
【発明を実施するための最良の形態】
【００３１】
以下、図面を参照しながら、本発明の好ましい実施形態を、詳細に説明する。図１および図２は、本発明の第１実施形態によるトランス固定装置１を示している。このトランス固定装置１は、電子ピアノ２（電子楽器）に適用されたものであり、トランス４が電子ピアノ２の棚板３に取り付けられる。これらの図に示すように、トランス固定装置１は、トランス４が固定されたシャーシ５と、トランス４の振動を吸収するための第１および第２の防振材６，７と、シャーシ５を棚板３に固定するための２つの固定金具８，８および固定ねじ９（固定手段）で構成されている。棚板３は、例えばＭＤＦやパーティクルボードなどの木質材で構成されている。
【００３２】
トランス４は、電源（図示せず）の電圧を所定の電圧（例えば１５Ｖ）に降圧し、この降圧した電圧を、複数の電子部品などが取り付けられた基板（ともに図示せず）に供給するものであり、その降圧時に熱や振動を生じる。
【００３３】
シャーシ５は、例えば曲げ加工された金属板で構成されている。図２に示すように、シャーシ５は、ほぼ正方形のトランス固定部５ａと、その左右方向（図２の矢印Ａ方向）の両側に一体に設けられた細長い矩形の２つの棚板取付部５ｂ，５ｂ（固定面取付部）で構成されている。トランス固定部５ａの上面には、トランス４のトランス本体４ａが固定されている。トランス固定部５ａは、左右方向の両端部において下方に延びており、各下端から棚板取付部５ｂが水平に突出している。これにより、各棚板取付部５ｂは、トランス固定部５ａよりも一段低くなっているとともに、前後方向（図２の矢印Ｂ方向）に長く延びている。各棚板取付部５ｂには、前記第１および第２の防振材６，７が取り付けられている。
【００３４】
第１および第２の防振材６，７は、熱に強く、耐久性の高い弾性材、例えば合成ゴムでそれぞれ構成されている。第１および第２の防振材６，７は、シート状に形成されており、棚板取付部５ｂの上面および下面に、例えば両面テープ（図示せず）でそれぞれ貼り付けられている。第１および第２の防振材６，７の前後方向の長さは、シャーシ５の各棚板取付部５ｂの同方向の長さよりも若干大きい。第２防振材７の左右方向の長さは、棚板取付部５ｂの同方向の長さよりも若干大きく、また、第１防振材６は、その左右方向の長さが第２防振材７よりも大きく、トランス４側に延びており、その一端部が、各固定金具８の後述する立ち上がり部８ｃとトランス４の間に挟持されている。
【００３５】
各固定金具８は、例えば曲げ加工された金属板で構成されている。図１に示すように、各固定金具８は、前後方向に延びる水平な本体部８ａと、その両端から下方に延びる連結部８ｅ，８ｅと、連結部８ｅ，８ｅの下端から外方に水平に延びる取付部８ｂ，８ｂで構成されている。このため、取付部８ｂは、本体部８ａよりも一段低く、取付部８ｂの下面から本体部８ａの下面までの高さが所定の高さＨになっている。この高さＨは、棚板取付部５ｂの厚さと、固定金具８によって後述するように挟持される前の第１および第２の防振材６，７の厚さの和よりも小さく設定されている。また、本体部８ａには、その一端部から立ち上がる立ち上がり部８ｃが一体に形成されている。各取付部８ｂには、上下方向に貫通する孔８ｄが形成されており、この孔８ｄを介して、固定ねじ９を上方から棚板３にねじ込むことによって、取付部８ｂが棚板３に固定されている。この状態では、シャーシ５の棚板取付部５ｂならびに第１および第２の防振材６，７が、固定金具８の本体部８ａと棚板３の間に挟持されており、それによって、シャーシ５およびそれに固定したトランス４が棚板３に固定されている。また、第１防振材６が、固定金具８の立ち上がり部８ｃとトランス４の間に挟持されている。
【００３６】
以上のように、本実施形態によれば、固定金具８の本体部８ａとシャーシ５の棚板取付部５ｂの間に第１防振材６が、棚板取付部５ｂと棚板３の間に第２防振材７が、それぞれ介在しているので、シャーシ５が固定金具８および棚板３と非接触状態になっている。これにより、トランス４の振動が固定金具８を介して棚板３に伝搬することが抑制され、その結果、トランス４の振動に起因する棚板３の振動を抑制でき、したがって、雑音の発生を防止することができる。
【００３７】
また、第１および第２の防振材６，７が、それぞれシート状に形成されているので、第１および第２の防振材６，７を、本体部８ａと棚板取付部５ｂの間と、棚板取付部５ｂと棚板３の間に、それぞれ介在させるだけで、容易に取り付けることができる。したがって、従来と異なり、複雑な形状の防振材をシャーシに押し込む作業を省略でき、その分、製造コストを削減することができる。さらに、各固定金具８を、２つの取付部８ｂ，８ｂを介して安定して強固に棚板３に固定できるとともに、そのように固定された固定金具８の本体部８ａによって、棚板取付部５ｂならびに第１および第２の防振材６，７を挟持する。また、固定金具８の取付部８ｂの下面から本体部８ａの下面までの高さＨが、棚板取付部５ｂの厚さと固定金具８によって挟持される前の第１および第２の防振材６，７の厚さの和よりも小さく設定されている。したがって、棚板取付部５ｂならびに第１および第２の防振材６，７を固定金具８で締め付けながら強く挟持できる。また、第１および第２の防振材６，７が弾性材で構成されているので、上記の寸法の差の分だけ、第１および第２の防振材６，７を圧縮させながら挟持できるとともに、その弾性によって緩みを防止できる。以上の結果、シャーシ５およびそれに固定されたトランス４を棚板３に確実に安定した状態で固定することができる。
【００３８】
また、トランス４が左右の立ち上がり部８ｃ，８ｃによって両側から挟持されるので、トランス４が左右方向に位置決めされ、その方向へのずれが防止されるとともに、立ち上がり部８ｃとトランス４の間に第１防振材６が挟持されているので、立ち上がり部８ｃを介した固定金具８へのトランス４の振動の伝搬を抑制することができる。
【００３９】
図３は、第１実施形態の変形例を示している。この変形例は、図２に示した第１実施形態と比較し、防振材の構成のみが異なる。すなわち、第１実施形態では、第１および第２の防振材６，７が互いに別個に構成されているのに対し、この変形例では、防振材が単一の防振材１０で構成されている。この防振材１０は、棚板取付部５ｂの上面に設けられ、前後方向に延びるとともに、固定金具８の連結部８ｅ，８ｅ付近でそれぞれ折りたたまれ、棚板取付部５ｂの下面に沿って前後方向に中央付近まで延びている。防振材１０は、第１実施形態と同様、棚板取付部５ｂの上面および下面に両面テープで貼り付けられている。
【００４０】
この構成によれば、防振材が単一の防振材１０で構成されているので、第１実施形態と比較して、部品点数および組立工数を削減でき、その分、製造コストを削減することができる。また、防振材１０が連結部８ｅ，８ｅ付近で折りたたまれているので、棚板取付部５ｂの前端および後端と連結部８ｅ，８ｅを確実に非接触状態に維持することができ、したがって、これらの部分を介した振動の伝搬を確実に抑制できる。なお、防振材１０を左右方向に折り返してもよい。
【００４１】
図４および図５は、本発明の第２実施形態によるトランス固定装置１１を示している。なお、以下の説明において、上述した第１実施形態と同じ構成については、同じ参照番号を付し、その詳細な説明は省略するものとする。図４に示すように、シャーシ５の各棚板取付部５ｂの上面および下面には、第１および第２の防振材１３，１４がそれぞれ取り付けられている。第１および第２の防振材１３，１４は、第１実施形態と同様、合成ゴムなどの弾性材で構成され、細長いシート状に形成されている。第１および第２の防振材１３，１４は、その長さが棚板取付部５ｂの前後方向（図５の矢印Ｂ方向）の長さよりも若干大きく、棚板取付部５ｂの前端および後端から若干はみ出るとともに、各棚板取付部５ｂの左右の端部からはみ出た状態で棚板取付部５ｂに取り付けられている。
【００４２】
一方、棚板１２の上面には、収容凹部１２ａが形成されている。収容凹部１２ａの深さＤは、棚板取付部５ｂと第１および第２の防振材１３，１４の厚さの和よりも小さく設定されている。収容凹部１２ａは、長方形状に形成されており、シャーシ５よりも若干大きな所定のサイズを有している。そして、この収容凹部１２ａにシャーシ５ならびに第１および第２の防振材１３，１４が収容されている。この状態では、第１および第２の防振材１３，１４が収容凹部１２ａの四方の壁面に接触しており、棚板取付部５ｂはこれらの壁面と非接触状態になっている。
【００４３】
図５に示すように、２つの固定金具１５，１５は、細長い平板状の金属板で構成されており、それらの長さは、収容凹部１２ａの前後方向の長さよりも大きく、長さ方向に沿う所定の２つの位置に孔１５ａが形成されている。２つの固定金具１５，１５は、第１防振材１３などが配置される付近の、収容凹部１２ａの左右方向（図５の矢印Ａ方向）の２つの縁部にこれらに沿って固定されている。具体的には、各固定金具１５は、各孔１５ａを介し、固定ねじ１６を上方から棚板１２にねじ込むことによって、固定金具１５の一部が収容凹部１２ａに張り出した状態で、棚板１２に固定されている。この状態では、棚板取付部５ｂならびに第１および第２の防振材１３，１４が、固定金具１５の一部と収容凹部１２ａの底面１２ｂの間に挟持されている。
【００４４】
以上の構成によれば、第１実施形態による前述した効果を同様に得ることができる。すなわち、固定金具１５とシャーシ５の棚板取付部５ｂの間に第１防振材１３が、棚板取付部５ｂと収容凹部１２ａの底面１２ｂの間に第２防振材１４が、それぞれ介在するので、トランス４の振動が固定金具１５を介して棚板１２に伝搬することが抑制され、その結果、トランス４の振動に起因する棚板１２の振動を抑制でき、したがって、雑音の発生を防止することができる。また、第１および第２の防振材１３，１４が、それぞれシート状に形成されているので、第１および第２の防振材１３，１４の取り付けを容易に行うことができる。
【００４５】
さらに、棚板１２に固定した固定金具１５によって、シャーシ５の棚板取付部５ｂならびに第１および第２の防振材１３，１４を挟持するとともに、収容凹部１２ａの深さＤが、棚板取付部５ｂの厚さと固定金具１５によって挟持される前の第１および第２の防振材１３，１４の厚さの和よりも小さく設定されている。したがって、棚板取付部５ｂならびに第１および第２の防振材１３，１４を固定金具１５で締め付けながら強く挟持できる。また、第１および第２の防振材１３，１４が弾性材で構成されているので、上記の寸法の差の分だけ、第１および第２の防振材１３，１４を圧縮させながら挟持できるとともに、その弾性によって緩みを防止できる。以上の結果、シャーシ５およびトランス４を確実に安定した状態で固定することができる。
【００４６】
また、固定金具１５が平板状に形成されているので、本体部８ａおよび取付部８ｂなどを有する第１実施形態の固定金具８と比較し、固定金具１５の形状を単純化でき、それによっても、製造コストを削減することができる。
【００４７】
図６は、第２実施形態の変形例を示している。この変形例は、図４に示した第２実施形態と比較し、防振材の構成のみが異なる。すなわち、第２実施形態では、第１および第２の防振材１３，１４が互いに別個に構成されているのに対し、この変形例では防振材が単一の防振材１７で構成されている。各防振材１７は、棚板取付部５ｂの前端および後端から若干はみ出すとともに、収容凹部１２ａの左壁面または右壁面の付近で折りたたまれ、棚板取付部５ｂの上面および下面にわたって設けられており、両面テープで貼り付けられている。この構成によれば、防振材が単一の防振材１７で構成されているので、第２実施形態と比較して、部品点数および組立工数を削減できる。また、防振材１７が収容凹部１２ａの壁面付近で折りたたまれているので、各棚板取付部５ｂの左右の端部と収容凹部１２ａの壁面を確実に非接触状態に維持することができ、したがって、これらの部分を介した振動の伝搬を確実に抑制できる。
【００４８】
図７〜図９は、本発明の第３実施形態によるトランス固定装置２１を示している。なお、本実施形態においても、前述した第１および第２実施形態と同じ構成については、同じ参照番号を付し、その詳細な説明は省略するものとする。図７に示すように、このトランス固定装置２１は、第１および第２実施形態と同様の、トランス４が固定されたシャーシ５と、シャーシ５の両端部に取り付けられ、トランス４の振動を吸収する２つの防振材２４，２４と、これらの防振材２４，２４を介して、シャーシ５を棚板３に固定する２つの固定ねじ２５，２５などで構成されている。シャーシ５の各棚板取付部５ｂの中央には孔５ｃが形成されている。
【００４９】
各防振材２４は、第１および第２実施形態と同様、例えば合成ゴムなどの弾性材で構成され、係合部２４ｃと、係合部２４ｃの上下に一体に形成された上部２４ａ（表面部）および下部２４ｂ（裏面部）を有している。上部２４ａは、係合部２４ｃよりも大きな面積を有し、また、下部２４ｂは、シャーシ５の棚板取付部５ｂとほぼ同じ面積を有しており、棚板取付部５ｂの形状に対応して、矩形状に形成されている。防振材２４は、その弾性を利用して、棚板取付部５ｂの孔５ｃに上部２４ａを押し込むことによって、取り付けられており、この状態では、図９に示すように、係合部２４ｃが棚板取付部５ｂの孔５ｃに係合するとともに、係合部２４ｃよりも面積の大きな上部２４ａおよび下部２４ｂによって防振材２４が上下方向に位置決めされた状態になっている。
【００５０】
また、防振材２４の中央には、上下方向に貫通する孔２４ｄが形成され、この孔２４ｄの全体にスペーサ２６が下方から差し込まれている。スペーサ２６は、例えば真鍮などの金属で構成され、下端部につば部２６ａを一体に有するとともに、中央部を上下方向に貫通する孔２６ｂを有している。防振材２４の孔２４ｄの下端部は、他の部分よりも径の大きな収容部２４ｅになっており、この収容部２４ｅにスペーサ２６のつば部２６ａが収容され、防振材２４からスペーサ２６が下方に突出しないようになっている。そして、固定ねじ２５をスペーサ２６の孔２６ｂに上方から通し、棚板３にねじ込むことによって、シャーシ５が棚板３に固定されている。スペーサ２６は、固定ねじ２５の頭部と棚板３の間の距離を一定に保つことによって、防振材２４が必要以上に圧縮されるのを防止する役割を果たす。
【００５１】
以上のように、本実施形態によれば、固定ねじ２５の頭部とシャーシ５の棚板取付部５ｂの間に防振材２４の上部２４ａが、棚板取付部５ｂと棚板３の間に防振材２４の下部２４ｂが、それぞれ介在するとともに、棚板取付部５ｂの孔５ｃに防振材２４の係合部２４ｃが係合することによって、シャーシ５が棚板３および固定ねじ２５と非接触状態になっている。このため、トランス４の振動が固定ねじ２５を介して棚板３に伝搬することが抑制され、その結果、トランス４の振動に起因する棚板３の振動を抑制でき、したがって、雑音の発生を防止することができる。
【００５２】
また、防振材２４の下部２４ｂが、棚板取付部５ｂとほぼ同じ面積を有していて、棚板３との接触面積が大きいので、下部２４ｂによって、シャーシ５を棚板３に安定して支持することができる。このため、シャーシ５が固定ねじ２５を中心として揺動するのを防止できるなど、シャーシ５、したがってトランス４を安定した状態で固定することができる。その結果、防振材２４および固定ねじ２５をシャーシ５の各棚板取付部５ｂの１個所に設けるだけでよく、従来と異なり、シャーシの四隅にそれぞれ設ける必要がないので、防振材や固定ねじの数を削減することができる。これにより、部品点数および組立工数を削減でき、その分、製造コストを削減することができる。
【００５３】
また、防振材２４の係合部２４ｃ、上部２４ａおよび下部２４ｂが、一体に形成されているので、これらを互いに別個に構成した場合と比較し、部品点数および組立工数を削減でき、その分、製造コストを削減することができる。また、上部２４ａが、係合部２４ｃよりも大きな面積を有するとともに、防振材２４が、弾性材で構成されているので、その弾性を利用して、上部２４ａを棚板取付部５ｂの孔５ｃに押し込むことにより、ねじ止めに先立ち、防振材２４をシャーシ５に容易に取り付けることができる。また、係合部２４ｃよりも大きな面積を有する上部２４ａおよび下部２４ｂによって、防振材２４をシャーシ５に位置決めした状態で取り付けることができる。
【００５４】
なお、本発明は、説明した実施形態に限定されることなく、種々の態様で実施することができる。例えば、実施形態では、トランス４を、棚板３，１２に固定しているが、これに限らず、電子ピアノの他の適当な固定面、例えば屋根や背板などに固定してもよい。また、第１および第２実施形態では、第１および第２の防振材６，７，１３，１４を、それぞれ１枚のシートで構成しているが、これらを２枚以上のシートで構成してもよい。この場合、これらのシートを並べることも積み重ねることも可能である。また、第１および第２実施形態では、固定金具８，１５を金属で構成しているが、これに限らず、例えば合成樹脂などで構成してもよい。さらに、第２実施形態では、棚板取付部５ｂと収容凹部１２ａの壁面との非接触状態を、第１および第２の防振材１３，１４を棚板取付部５ｂからはみ出すように設けることによって確保しているが、これに代えて、第１および第２の防振材１３，１４とは別個の防振材を収容凹部１２ａの壁面に直接、取り付けてもよい。
【００５５】
また、第３実施形態では、防振材２４の下部２４ｂの面積が、シャーシ５の各棚板取付部５ｂとほぼ同じに設定されているが、シャーシ５を棚板３に安定して支持できる面積であればよく、例えば棚板取付部５ｂの１／２程度でもよい。また、その形状は、例示した矩形状に限らず、例えば円形状でもよい。さらに、第３実施形態では、防振材２４の係合部２４ｃ、上部２４ａおよび下部２４ｂを一体に形成しているが、これらを互いに別個に形成してもよいことは、もちろんである。また、第３実施形態においてのシャーシ５に、その孔５ｃに連続し、棚板取付部５ｂの一端に開口するスリットを付加してもよく、その場合には、防振材２４の取り付けをさらに容易に行うことができる。
【００５６】
さらには、実施形態は、本発明を電子ピアノに適用した例であるが、これに限らず、本発明をシンセサイザや自動演奏ピアノなどの他のタイプの電子楽器に適用してもよいことは、もちろんである。その他、本発明の趣旨の範囲内で、細部を適宜、変更することが可能である。
【図面の簡単な説明】
【００５７】
【図１】本発明の第１実施形態によるトランス固定装置によってトランスを棚板に固定した状態を示す側面図である。
【図２】図１に対応する斜視図である。
【図３】第１実施形態の変形例を示す部分斜視図である。
【図４】本発明の第２実施形態によるトランス固定装置によってトランスを棚板に固定した状態を示す側面図である。
【図５】図４に対応する平面図である。
【図６】第２実施形態の変形例を示す側面図である。
【図７】本発明の第３実施形態によるトランス固定装置によってトランスを棚板に固定した状態を示す側面図である。
【図８】図７に対応する斜視図である。
【図９】図８のＩＸ−ＩＸ線に沿う断面図である。
【図１０】従来のトランス固定装置の側面図である。
【符号の説明】
【００５８】
１  トランス固定装置
２  電子ピアノ（電子楽器）
３  棚板
４  トランス
５  シャーシ
５ａ  トランス固定部
５ｂ  棚板取付部（固定面取付部）
５ｃ  孔
６  第１防振材
７  第２防振材
８  固定金具
８ａ  本体部
８ｂ  取付部
９  固定ねじ（固定手段）
１１  トランス固定装置
１２  棚板
１２ａ  収容凹部
１２ｂ  底面
１３  第１防振材
１４  第２防振材
１５  固定金具
１６  固定ねじ（固定手段）
２１  トランス固定装置
２４  防振材
２４ａ  上部（表面部）
２４ｂ  下部（裏面部）
２４ｃ  係合部
２４ｄ  孔
２５  固定ねじ（固定手段）
Ｈ  高さ
Ｄ  深さ    
【図１】
2006091517.tif 000003
【図２】
2006091517.tif 000004
【図３】
2006091517.tif 000005
【図４】
2006091517.tif 000006
【図５】
2006091517.tif 000007
【図６】
2006091517.tif 000008
【図７】
2006091517.tif 000009
【図８】
2006091517.tif 000010
【図９】
2006091517.tif 000011
【図１０】
2006091517.tif 000012